(57)【特許請求の範囲】
【請求項１】
吸収体を具備し、着用者の腹側から股間部を介して背側に延びる縦方向とこれに直交する横方向とを有すると共に、着用時に該股間部に配される股下部と、該股下部よりも着用者の腹側に配される腹側部と、該股下部よりも着用者の背側に配される背側部とを縦方向に有する使い捨ておむつであって、
前記吸収体は、液保持性の吸収性コアと、該吸収性コアの肌対向面を被覆する肌側コアラップシートと、該吸収性コアの非肌対向面を被覆する非肌側コアラップシートとを含んで構成され、
前記吸収性コアに、該吸収性コアを厚み方向に貫通する複数の非積繊部が個々に独立して配置形成され、各該非積繊部において前記肌側コアラップシートと前記非肌側コアラップシートとが接合しており、
前記非積繊部は少なくとも前記股下部に配置されており、
前記複数の非積繊部を前記吸収性コアの縦方向端に向かって縦方向に投影したときに形成される投影像の全部が、該吸収性コアにおける、前記股下部において横方向長さが最小の部分である股下最小幅部において、相互に繋がっており、
前記複数の非積繊部のうちから任意のものを選択し、その選択された非積繊部を通って前記吸収性コアを横方向に横断する仮想直線を１本引いた場合、該仮想直線と重なる全ての前記非積繊部の、該仮想直線との重なり部分の長さの合計が、該仮想直線と該吸収性コアとの重なり部分の長さの５０％以下である使い捨ておむつ。
【請求項２】
吸収体を具備し、着用者の腹側から股間部を介して背側に延びる縦方向とこれに直交する横方向とを有すると共に、着用時に該股間部に配される股下部と、該股下部よりも着用者の腹側に配される腹側部と、該股下部よりも着用者の背側に配される背側部とを縦方向に有する使い捨ておむつであって、
前記吸収体は、液保持性の吸収性コアと、該吸収性コアの肌対向面を被覆する肌側コアラップシートと、該吸収性コアの非肌対向面を被覆する非肌側コアラップシートとを含んで構成され、
前記吸収性コアに、該吸収性コアを厚み方向に貫通する複数の非積繊部が個々に独立して配置形成され、各該非積繊部において前記肌側コアラップシートと前記非肌側コアラップシートとが接合しており、
前記複数の非積繊部が、相対的に開口径の大きい非積繊部と、相対的に開口径の小さい非積繊部とを含み、両非積繊部が縦方向に交互に配置されており、
前記複数の非積繊部を前記吸収性コアの縦方向端に向かって縦方向に投影したときに形成される投影像の全部が、該吸収性コアにおける、前記股下部において横方向長さが最小の部分である股下最小幅部において、相互に繋がっており、
前記複数の非積繊部のうちから任意のものを選択し、その選択された非積繊部を通って前記吸収性コアを横方向に横断する仮想直線を１本引いた場合、該仮想直線と重なる全ての前記非積繊部の、該仮想直線との重なり部分の長さの合計が、該仮想直線と該吸収性コアとの重なり部分の長さの５０％以下である使い捨ておむつ。
【請求項３】
吸収体を具備し、着用者の腹側から股間部を介して背側に延びる縦方向とこれに直交する横方向とを有すると共に、着用時に該股間部に配される股下部と、該股下部よりも着用者の腹側に配される腹側部と、該股下部よりも着用者の背側に配される背側部とを縦方向に有する使い捨ておむつであって、
前記吸収体は、液保持性の吸収性コアと、該吸収性コアの肌対向面を被覆する肌側コアラップシートと、該吸収性コアの非肌対向面を被覆する非肌側コアラップシートとを含んで構成され、
前記吸収性コアに、該吸収性コアを厚み方向に貫通する複数の非積繊部が個々に独立して配置形成され、各該非積繊部において前記肌側コアラップシートと前記非肌側コアラップシートとが接合しており、
前記非積繊部は少なくとも前記股下部に配置されており、
前記複数の非積繊部が、相対的に開口径の大きい非積繊部と、相対的に開口径の小さい非積繊部とを含み、両非積繊部が縦方向に交互に配置されており、
前記複数の非積繊部を前記吸収性コアの縦方向端に向かって縦方向に投影したときに形成される投影像の全部が、該吸収性コアにおける、前記股下部において横方向長さが最小の部分である股下最小幅部において、相互に繋がっており、
前記複数の非積繊部のうちから任意のものを選択し、その選択された非積繊部を通って前記吸収性コアを横方向に横断する仮想直線を１本引いた場合、該仮想直線と重なる全ての前記非積繊部の、該仮想直線との重なり部分の長さの合計が、該仮想直線と該吸収性コアとの重なり部分の長さの５０％以下である使い捨ておむつ。
【請求項４】
前記複数の非積繊部のうちで横方向において最外方に位置する非積繊部は、前記股下最小幅部には配置されておらず、且つ該股下最小幅部の縦方向に沿う側縁の仮想延長線と重なるか、又は該仮想延長線よりも横方向外方に配置されている請求項１〜３の何れか一項に記載の使い捨ておむつ。
【請求項５】
前記吸収体の肌対向面側に配された表面シートを具備し、前記複数の非積繊部それぞれにおいて、該表面シートと前記肌側コアラップシートとが接合している請求項１〜４の何れか一項に記載の使い捨ておむつ。
【請求項６】
さらに、前記吸収体の非肌対向面側に配された裏面シートを具備し、前記複数の非積繊部それぞれにおいて、前記表面シートと前記肌側コアラップシートとが接合していると共に、前記裏面シートと前記非肌側コアラップシートとが接合している請求項５に記載の使い捨ておむつ。
【請求項７】
さらに、前記吸収体の肌対向面側に配された表面シートを具備し、前記非積繊部において該表面シートと前記肌側コアラップシートとが接合しており、
前記非積繊部における前記肌側コアラップシートと前記非肌側コアラップシートとの接合力Ｈ２は、該非積繊部における前記表面シートと該肌側コアラップシートとの接合力Ｈ１よりも大きい請求項１〜６の何れか一項に記載の使い捨ておむつ。
【請求項８】
前記接合力Ｈ１に対する前記接合力Ｈ２の比率は、接合力Ｈ２／接合力Ｈ１として、１．１以上５．０以下である請求項７に記載の使い捨ておむつ。
【請求項９】
前記複数の非積繊部は千鳥状に配置されている請求項１〜８の何れか一項に記載の使い捨ておむつ。
【請求項１０】
前記複数の非積繊部の千鳥状の配置は、前記複数の非積繊部それぞれの中心を通って縦方向に延びる仮想直線が横方向に所定間隔を置いて複数本配置され、且つ隣接する２本の該仮想直線どうしで該非積繊部の位置がずれている配置である請求項９に記載の使い捨ておむつ。
【請求項１１】
前記複数の非積繊部の千鳥状の配置は、前記複数の非積繊部それぞれの中心を通って縦方向に延びる仮想直線が横方向に所定間隔を置いて複数本配置され、且つ隣接する２本の該仮想直線どうしで縦方向における該非積繊部の位置が一致していない配置である請求項９に記載の使い捨ておむつ。
【請求項１２】
前記前記吸収性コアと前記肌側コアラップシート及び前記非肌側コアラップシートとは、それぞれ接着剤によって接合されている請求項１〜１１の何れか一項に記載の使い捨ておむつ。
【請求項１３】
前記吸収性コアは前記股下部において内方に括れており、前記肌側コアラップシート及び前記非肌側コアラップシートがその括れ部から横方向に延出しており、その両コアラップシートの延出部どうしが、該股下部において接着剤によって接合されてコアラップシート接合部が形成されている請求項１〜１２の何れか一項に記載の使い捨ておむつ。
【請求項１４】
前記非肌側コアラップシートは平坦であるが、前記肌側コアラップシートは前記非積繊部の形成位置において凹状に窪んでいる請求項１〜１３の何れか一項に記載の使い捨ておむつ。
【請求項１５】
前記吸収性コアの肌対向面及び非肌対向面それぞれにおいて、前記複数の非積繊部の面積の総和が、該吸収性コアの肌対向面又は非肌対向面の全面積の３０％以下である請求項１〜１４の何れか一項に記載の使い捨ておむつ。
【請求項１６】
前記複数の非積繊部のうちから任意のものを選択し、その選択された非積繊部を通って前記吸収性コアを横方向に横断する仮想直線を１本引いた場合、該仮想直線と重なる全ての前記非積繊部の、該仮想直線との重なり部分の長さの合計が、該仮想直線と該吸収性コアとの重なり部分の長さの３５％以下である請求項１〜１５の何れか一項に記載の使い捨ておむつ。
【請求項１７】
一対の前記非積繊部を通って前記吸収性コアを横方向に横断する前記仮想直線があり、該仮想直線と該一対の非積繊部それぞれとの重なり部分の長さの合計が、該仮想直線と該吸収性コアとの重なり部分の長さの５０％以下である請求項１６に記載の使い捨ておむつ。
【請求項１８】
前記複数の非積繊部のうちから任意のものを選択し、その選択された非積繊部を通って前記吸収性コアを縦方向に横断する仮想直線を１本引いた場合、該仮想直線と重なる全ての非積繊部の、該仮想直線との重なり部分の長さの合計が、該仮想直線と該吸収性コアとの重なり部分の長さの５０％以下である請求項１〜１７の何れか一項に記載の使い捨ておむつ。
【請求項１９】
前記複数の非積繊部から選択される任意の１個の非積繊部と、該任意の１個の非積繊部の平面視における最大内接円の中心に最も近接する最大内接円の中心を有する、他の１個の非積繊部とにおいて、その２個の非積繊部の最大内接円どうしの中心間距離は、その２個の最大内接円それぞれの半径の総和の２倍以上１０倍以下である請求項１〜１８の何れか一項に記載の使い捨ておむつ。
【請求項２０】
前記股下部を含む縦方向中央部における、縦方向に沿う両側縁が内向きの円弧状に湾曲しており、平面視において縦方向中央部が内方に括れた砂時計状をなしている請求項１〜１９の何れか一項に記載の使い捨ておむつ。
【請求項２１】
前記肌側コアラップシートと前記非肌側コアラップシートとは、１枚の連続したシートである請求項１〜２０の何れか一項に記載の使い捨ておむつ。
【発明の詳細な説明】
【技術分野】
【０００１】
本発明は、使い捨ておむつ等の吸収性物品に関する。
【背景技術】
【０００２】
吸収性物品の典型的な形態としては、液透過性の表面シート、液不透過性の裏面シート及び両シート間に配置された縦長の吸収体を具備するものが挙げられる。また、吸収体としては、木材パルプや吸水性ポリマーを含む液保持性の吸収性コアと、該吸収性コアを被覆する透水性のコアラップシートとを含んで構成されているものが知られている。コアラップシートは、吸収体の製造時には吸水性ポリマー等の吸収性コア形成材料を受けるためのシートとして働き、製造後には吸収性コアを包んで形状化する役割などを果たす。
【０００３】
また、吸収性物品においては従来、種々の目的で、吸収性コアにこれを厚み方向に貫通する貫通孔、即ち吸収性コア形成材料が積繊されていない非積繊部を形成することが行われている。例えば特許文献１には、通気性の向上を目的として、吸収性コアに複数の貫通孔を個々に独立して配置形成することが記載されており、また、その貫通孔の形状維持、及び貫通孔での吸収性コア形成材料の散乱防止を目的として、貫通孔の側壁面において、吸収性コアを被覆する上下のコアラップシートどうしを接合することも記載されている。
【０００４】
また特許文献２には、吸収性物品の着用中における着用者の動きによって、吸収体の位置が表面シートと裏面シートとの間でずれたり、吸収体が意図しない変形をしたりする点に鑑み、斯かる課題を解決することを目的として、吸収体に複数の貫通孔を個々に独立して配置形成し、各該貫通孔において表面シートと裏面シートとを接合することが記載されている。また特許文献３には、液拡散性の向上を目的として、使い捨ておむつにおける吸収性コアに、おむつの長手方向に延びる貫通孔を形成することが記載されており、また、各該貫通孔において表面シートと裏面シートとを接合することも記載されている。
【先行技術文献】
【特許文献】
【０００５】
【特許文献１】特開２０１０−２３３５９７号公報
【特許文献２】特開平９−５１９１３号公報
【特許文献３】特開平９−９９００８号公報
【発明の概要】
【発明が解決しようとする課題】
【０００６】
吸収体においては通常、吸収性コアとこれを被覆するコアラップシートとは接着剤で互いに接合されて吸収体の保形性を維持しているが、吸収性物品の着用中において吸収性コアが尿等の排泄液を吸収した場合、その接合部に液が浸入することによって接合力が低下し、それによって吸収性コアがコアラップシートに対して滑りやすい状態が生じる場合がある。そのような状態において、着用者の脚の動きによって吸収性コアの一部に亀裂が入ると、液吸収により該吸収性コアの重量が増していることもあって、その亀裂部で該吸収性コアが分断されて、該亀裂部よりも着用者の股下寄りに位置する部分、即ち着用時に該亀裂部よりも下方に位置する部分が自重により股下にずり落ち、吸収体の壊れが発生する。このような吸収性物品の着用中における吸収体の保形性の低下を効果的に抑制し得る技術は未だ提供されていない。
【０００７】
従って本発明の課題は、吸収体の保形性に優れ、着用中に吸収体が壊れにくい吸収性物品を提供することに関する。
【課題を解決するための手段】
【０００８】
本発明は、吸収体を具備し、着用者の腹側から股間部を介して背側に延びる縦方向とこれに直交する横方向とを有すると共に、着用時に該股間部に配される股下部と、該股下部よりも着用者の腹側に配される腹側部と、該股下部よりも着用者の背側に配される背側部とを縦方向に有する吸収性物品であって、前記吸収体は、液保持性の吸収性コアと、該吸収性コアの肌対向面を被覆する肌側コアラップシートと、該吸収性コアの非肌対向面を被覆する非肌側コアラップシートとを含んで構成され、前記吸収性コアに、該吸収性コアを厚み方向に貫通する複数の非積繊部が個々に独立して配置形成され、各該非積繊部において前記肌側コアラップシートと前記非肌側コアラップシートとが接合しており、前記複数の非積繊部を前記吸収性コアの縦方向端に向かって縦方向に投影したときに形成される投影像の全部が、該吸収性コアにおける、前記股下部において横方向長さが最小の部分である股下最小幅部において、相互に繋がっている吸収性物品を提供するものである。
【発明の効果】
【０００９】
本発明によれば、吸収体の保形性に優れ、着用中に吸収体が壊れにくい吸収性物品が提供される。
【図面の簡単な説明】
【００１０】
【図１】図１は、本発明の吸収性物品の一実施形態としての使い捨ておむつを各部の弾性部材を伸張させて平面状に拡げた展開状態を示す表面シート側、即ち肌対向面側の一部破断平面図である。
【図２】図２は、図１のＩ−Ｉ線（非積繊部の存在部位）での模式的な横断面図である。
【図３】図３は、図１に示すおむつに配されている吸収体、即ち吸収性コア及びコアラップシートの肌対向面を一部破断して模式的に示す平面図である。
【図４】図４は、図１に示す吸収性コアにおける複数の非積繊部を該吸収性コアの縦方向端に向かって縦方向に投影したときに、該吸収性コアの股下最小幅部において形成される投影像を模式的に示す図である。
【図５】図５は、本発明の吸収性物品に係る吸収体の他の実施形態の図３相当図である。
【図６】図６は、比較例２で用いた吸収体の図３相当図である。
【図７】図７は、本発明に係る非積繊部の最大内接円どうしの中心間距離の説明図である。
【発明を実施するための形態】
【００１１】
以下、本発明の吸収性物品について、その好ましい一実施形態である使い捨ておむつに基づき図面を参照しながら説明する。本実施形態の使い捨ておむつ１は、図１に示すように、着用者の腹側から股間部を介して背側に延びる縦方向Ｘとこれに直交する横方向Ｙとを有すると共に、着用時に該股間部に配される股下部１Ｍと、股下部１Ｍよりも着用者の腹側に配される腹側部１Ｆと、股下部１Ｍよりも着用者の背側に配される背側部１Ｒとを縦方向Ｘに有する。股下部１Ｍは、着用時に着用者の排泄部（例えばペニス）に対向配置される図示しない排泄部対向部を含んでいる。排泄部対向部は通常、おむつ１の縦方向Ｘの中央よりもやや腹側部１Ｆ寄りに偏倚した位置にある。
【００１２】
おむつ１は、いわゆる展開型の使い捨ておむつであり、図１及び図２に示すように、液保持性の吸収体４と、該吸収体４の肌対向面側に配され、着用時に着用者の肌と接触し得る液透過性の表面シート２と、該吸収体４の非肌対向面側に配された液不透過性ないし撥水性の裏面シート３とを具備している。吸収体４は、両シート２，３間に介在配置されており、図１に示す如き平面視において縦方向Ｘに長い形状をしており縦長である。おむつ１は、股下部１Ｍを含む縦方向Ｘの中央部における、縦方向Ｘに沿う両側縁が内向きの円弧状に湾曲しており、図１に示す如き平面視において、縦方向Ｘの中央部が内方に括れた砂時計状をなしている。
【００１３】
尚、本明細書において、「肌対向面」は、吸収性物品又はその構成部材（例えば吸収体４）における、吸収性物品の着用時に着用者の肌側に向けられる面、即ち相対的に着用者の肌に近い側であり、「非肌対向面」は、吸収性物品又はその構成部材における、吸収性物品の着用時に肌側とは反対側、即ち相対的に着用者の肌から遠い側に向けられる面である。また本明細書において、「着用時」は、通常の適正な着用位置、即ち当該吸収性物品の正しい着用位置が維持された状態を意味し、吸収性物品が該着用位置からずれた状態にある場合は含まない。
【００１４】
表面シート２及び裏面シート３は、それぞれ、吸収体４よりも大きな寸法を有し、吸収体４の周縁から外方に延出している。裏面シート３は、図１に示す如き展開且つ伸張状態のおむつ１の外形を形成している。表面シート２及び裏面シート３としては、それぞれ、この種の吸収性物品に従来用いられている各種のものを特に制限なく用いることができる。例えば、表面シート２としては各種の不織布や開孔フィルム等を用いることができ、裏面シート３としては樹脂フィルムや、樹脂フィルムと不織布等とのラミネート等を用いることができる。裏面シート３には、例えば、液不透過性のフィルムシート単独の形態と、該フィルムシートの非肌対向面、即ち外表面側に外装シートを積層配置した形態とがあり、該外装シートは例えば不織布である。
【００１５】
腹側部１Ｆ及び背側部１Ｒそれぞれのウエスト部、即ち縦方向Ｘの端部における表面シート２と裏面シート３との間には、糸状の弾性部材３１が横方向Ｙに沿って伸長状態で固定されており、これにより、おむつ１の着用時における該ウエスト部には、弾性部材３１の収縮によりウエストギャザーが形成される。また、おむつ１の表面シート２側における縦方向Ｘに沿う左右両側には、それぞれサイドシート３４が配されている。サイドシート３４は、縦方向Ｘに沿う内側縁部と、該内側縁部よりも横方向Ｙの外方に位置して縦方向Ｘに沿う外側縁部とを有し、図１に示す如き平面視において、該内側縁部は吸収体４と重なり、該外側縁部は吸収体４の縦方向Ｘに沿う側縁から横方向Ｙの外方に延出し裏面シート３と接合されている。着用者の脚周りに配される左右のレッグ部におけるサイドシート３４と裏面シート３との間には、糸状の弾性部材３２が縦方向Ｘに沿って伸長状態で固定されており、これにより、おむつ１の着用時におけるレッグ部には、弾性部材３２の収縮により一対のレッグギャザーが形成される。また、サイドシート３４の内側縁部には、糸状の弾性部材３３が縦方向Ｘに沿って伸長状態で固定されており、これにより、おむつ１の着用時には弾性部材３３の収縮により少なくとも股下部１Ｍに立体ギャザーが形成される。表面シート２、裏面シート３、吸収体４、各弾性部材３１，３２，３３及びサイドシート３４は、ホットメルト型接着剤等の公知の接合手段により互いに接合されている。
【００１６】
図１に示すように、おむつ１の背側部１Ｒの縦方向Ｘに沿う両側縁部には、一対のファスニングテープ３５，３５が設けられている。ファスニングテープ３５には、機械的面ファスナーのオス部材からなる図示しない止着部が取り付けられている。また、おむつ１の腹側部１Ｆの非肌対向面には、機械的面ファスナーのメス部材からなる被止着領域３６が形成されている。被止着領域３６は、腹側部１Ｆの非肌対向面を形成する裏面シート３の非肌対向面に、機械的面ファスナーのメス部材を公知の接合手段、例えば接着剤やヒートシール等で接合固定して形成されており、ファスニングテープ３５の前記止着部を着脱自在に止着可能になされている。
【００１７】
吸収体４は、液保持性の吸収性コア４０と、該吸収性コア４０の肌対向面を被覆する肌側コアラップシート４１と、該吸収性コア４０の非肌対向面を被覆する非肌側コアラップシート４２とを含んで構成されている。吸収性コア４０は単層構造であり、図１に示す如き平面視において、縦方向Ｘの中央部が内方に括れた砂時計状をなし、縦方向Ｘに長い形状をなしている。吸収性コア４０は、腹側部１Ｆに腹側縦方向端４０Ｆ、背側部１Ｒに背側縦方向端４０Ｒを有し、股下部１Ｍの縦方向Ｘの全長にわたっている。吸収性コア４０は、股下部１Ｍにおいて横方向Ｙの長さ（即ち幅）が最小の部分である股下最小幅部４０Ｓを有している。前記排泄部対向部は通常、股下最小幅部４０Ｓ又はその近傍に位置している。
【００１８】
吸収性コア４０は、吸収性材料を含むコア形成材料が積繊されてなる。吸収性材料としては、この種の吸収性コアの形成材料として通常用いられるものを特に制限なく用いることができ、例えば、木材パルプ、親水化剤により処理された合繊繊維等の親水性繊維や吸水性ポリマー粒子が挙げられる。即ち、吸収性コア４０は、親水性繊維の積繊体、あるいは該積繊体に吸水性ポリマー粒子を担持させたものであり得る。
【００１９】
吸収性コア４０の無荷重下における厚み（後述する非積繊部５以外の部分の厚み）は、特に制限されないが、好ましくは２ｍｍ以上、さらに好ましくは３ｍｍ以上、そして、好ましくは１５ｍｍ以下、さらに好ましくは１０ｍｍ以下、より具体的には、好ましくは２ｍｍ以上１５ｍｍ以下、さらに好ましくは３ｍｍ以上１０ｍｍ以下である。
吸収性コア４０の坪量は、好ましくは１００ｇ／ｍ2以上、さらに好ましくは３００ｇ／ｍ2以上、そして、好ましくは１０００ｇ／ｍ2以下、さらに好ましくは６００ｇ／ｍ2以下、より具体的には、好ましくは１００ｇ／ｍ2以上１０００ｇ／ｍ2以下、さらに好ましくは３００ｇ／ｍ2以上６００ｇ／ｍ2以下である。
【００２０】
コアラップシート４１，４２としては、例えば、紙、不織布等を用いることができる。不織布の例示として、親水化処理が施された繊維からなる親水性不織布が挙げられる。不織布は、紙に比べて強度が高くて加工時に破れにくく、また、吸収性コアを構成するコア形成材料として吸水性ポリマー粒子が使用されている場合には、吸水性ポリマー粒子の膨潤による吸収性コアの変形に柔軟に対応し得ることから、コアラップシート４１，４２としては不織布を用いることが好ましい。
【００２１】
肌側コアラップシート４１と非肌側コアラップシート４２とは、１）１枚の連続したシートであっても良く、２）それぞれ別体のシートであっても良い。前記１）の場合は例えば、吸収性コア４０の横方向Ｙの長さ（即ち幅）の２倍以上３倍以下の幅を有する１枚の連続したコアラップシートを用いることができる。この１枚のコアラップシートは例えば、吸収性コア４０の肌対向面の全域を被覆し、且つ吸収性コア４０の縦方向Ｘに沿う両側縁から横方向Ｙの外方に延出し、その延出部が、吸収性コア４０の下方に巻き下げられて、吸収性コア４０の非肌対向面の全域を被覆していても良い。その場合、この１枚のコアラップシートにおいて、吸収性コア４０の肌対向面を被覆する部分が肌側コアラップシート４１、吸収性コア４０の非肌対向面を被覆する部分が非肌側コアラップシート４２である。
【００２２】
前記２）の場合は、肌側コアラップシート４１と非肌側コアラップシート４２とで、横方向Ｙの長さ（即ち幅）は同じでも良く、異なっていても良い。両シート４１，４２で幅が異なる場合は、どちらが長くても良い。例えば、肌側コアラップシート４１は、吸収性コア４０の肌対向面の最大幅と同じ幅を有する、即ち吸収性コア４０の肌対向面の全域を被覆可能な大きさを有するものとし、非肌側コアラップシート４２は、該シート４１よりも幅広にすることができる。その幅広の非肌側コアラップシート４２は、吸収性コア４０の非肌対向面の全域を被覆し、且つ吸収性コア４０の縦方向Ｘに沿う両側縁から横方向Ｙの外方に延出し、その延出部が、吸収性コア４０の肌対向面に対向配置された肌側コアラップシート４１上に巻き上げられ、該シート４１の縦方向Ｘに沿う両側縁部を被覆していても良い。
【００２３】
図１に示すように、吸収性コア４０には、該吸収性コア４０を厚み方向に貫通する複数の非積繊部５Ａ〜５Ｅが個々に独立して配置形成されている。より具体的には、吸収性コア４０には、貫通孔からなる平面視円形形状の非積繊部５が散点状に９個配置形成されており、それら９個の非積繊部５は、それぞれ、吸収性コア４０を構成するコア形成材料に包囲されており、相互に繋がっていない。
【００２４】
図３には、吸収体４の肌対向面、即ち表面シート２との対向面が拡大して示されている。図３に示すように、吸収性コア４０においては、腹側縦方向端４０Ｆから背側縦方向端４０Ｒに向かって、非積繊部５Ａ，５Ｂ，５Ｃ，５Ｄ，５Ｅがこの順で縦方向Ｘに間欠的に形成されており、非積繊部５Ａは腹側部１Ｆ、非積繊部５Ｅは背側部１Ｒ、非積繊部５Ｂ，５Ｃ，５Ｄは股下部１Ｍにそれぞれ存している。非積繊部５Ｃ以外の他の非積繊部５Ａ，５Ｂ，５Ｄ，５Ｅは、それぞれ、吸収性コア４０を横方向Ｙに二分して縦方向Ｘに延びる縦中心線Ｌｘを基準として対称に形成されており、それぞれ一対存在する。非積繊部５Ｃは、股下最小幅部４０Ｓにおいて縦中心線Ｌｘ上に１個のみ存在する。また、非積繊部の平面視における大きさ即ち非積繊部の開口径は、非積繊部５Ａ，５Ｃ，５Ｅが互いに同一、また、非積繊部５Ｂ，５Ｄが互いに同一であり、さらに、非積繊部５Ａ，５Ｃ，５Ｅの方が非積繊部５Ｂ，５Ｄよりも大きい。つまり、吸収体４においては、相対的に開口径の大きい非積繊部５Ａ，５Ｃ，５Ｅと、相対的に開口径の小さい非積繊部５Ｂ，５Ｄとが、縦方向Ｘに交互に配置されている。
【００２５】
尚、非積繊部の開口径とは、貫通孔からなる非積繊部を平面視した場合の差し渡しの長さを意味する。より具体的には、非積繊部の開口径は、非積繊部の平面視における最大内接円の直径に等しい。ここでいう最大内接円とは、非積繊部の平面視において該非積繊部からはみ出ない真円のうちで直径が最大のものを意味する。例えば図１に示す非積繊部５Ａ〜５Ｅのように、非積繊部の平面視形状が円形形状の場合、該非積繊部とその最大内接円とは完全に一致するので、該非積繊部の開口径は該非積繊部の直径に等しい。また、本発明には、非積繊部の平面視形状が円形以外の形状のものも含まれるところ、例えば、非積繊部の平面視形状が正方形形状の場合、該非積繊部の最大内接円の直径は該非積繊部の１辺の長さに等しいので、該非積繊部の開口径は該非積繊部の１辺の長さに等しい。また、非積繊部の平面視形状が長方形形状の場合、該非積繊部の最大内接円の直径は該非積繊部の短辺の長さに等しいので、該非積繊部の開口径は該非積繊部の短辺の長さに等しい。
【００２６】
吸収体４における非積繊部５Ａ〜５Ｅは、千鳥状に配置されている。ここでいう「千鳥状の配置」とは、図３に示すように、複数の非積繊部５Ａ〜５Ｅそれぞれの中心を通って縦方向Ｘに延びる仮想直線が横方向Ｙに所定間隔を置いて複数本配置され、且つ隣接する２本の仮想直線どうしで非積繊部の位置がずれている、即ち、縦方向Ｘにおける非積繊部の位置が一致していない配置をいう。図３中、符号５１〜５６で示す複数の直線が前記仮想直線であり、一対の非積繊部５Ｂ，５Ｂの一方と一対の非積繊部５Ｅ，５Ｅの一方とは、横方向Ｙにおける位置が一致しているため、仮想直線５１を共有しており、また、一対の非積繊部５Ｂ，５Ｂの他方と一対の非積繊部５Ｅ，５Ｅの他方とは、横方向Ｙにおける位置が一致しているため、仮想直線５６を共有している。例えば、仮想直線５１と仮想直線５２とは隣接しているが、仮想直線５１上の非積繊部５Ｂ，５Ｅと仮想直線５２上の非積繊部５Ａとはずれていて、両積繊部の縦方向Ｘにおける位置は一致していない。
【００２７】
非積繊部５Ａ〜５Ｅは、吸収性コア４０の製造時における木材パルプ等のコア形成材料の積繊工程において、コア形成材料の積繊を意図的に阻害して形成された部位である。非積繊部５Ａ〜５Ｅを有する吸収性コア４０は、従来公知の吸収性コアの製造方法に従って製造することができ、例えば、空気流に乗せて供給したコア形成材料を、回転ドラムの外周面に形成された成形型上に吸引して堆積させて吸収性コア４０を得る方法において、該成形型として所定パターンの成形型、例えば非積繊部５に対応する部位が周辺部に比して上方に突出している成形型を用いることで製造することができる。斯かる方法で得られた吸収性コア４０において、コア形成材料が存在していない部分が非積繊部５Ａ〜５Ｅである。尚、非積繊部５Ａ〜５Ｅを有する吸収性コア４０の他の製造方法として、非積繊部を有していない吸収性コアを製造し、該吸収性コアの所定部位に型抜き加工や切削加工等の後加工を施して非積繊部を形成する方法を採用することもできる。
【００２８】
図２に示すように、非積繊部５Ｃにおいては、肌側コアラップシート４１と非肌側コアラップシート４２とが接合している。図示していないが、他の非積繊部５Ａ，５Ｂ，５Ｄ，５Ｅにおいても同様に両シート４１，４２が接合している。斯かる構成により、吸収性コア４０と両シート４１，４２との密着性が向上するため、両シート４１，４２間に介在配置された吸収性コア４０の保形性が向上し、吸収性コア４０を構成するコア形成材料に含まれる吸水性ポリマー粒子等の吸収性材料が尿等の排泄液を吸収することによって膨潤しても、吸収性コア４０の変形の程度が抑制される。また、肌側コアラップシート４１が表面シート２に接着剤によって接合され、非肌側コアラップシート４２が裏面シート３に接着剤によって接合されていることと相俟って、斯かる構成により、吸収体４の動きが拘束されるため、おむつ１の着用中に吸収体４が表面シート２や裏面シート３に対して移動し難い。従って、おむつ１の使用中に吸収体４（吸収性コア４０）が壊れ難く、優れた吸収性能が安定的に発揮され得る。また、斯かる構成により、吸収性コア４０による排泄液の取り込み性が向上すると共に、コア形成材料に含まれる吸収性材料の膨潤に起因する非積繊部５Ａ〜５Ｅの埋没が効果的に防止される。
【００２９】
尚、吸収性コア４０とコアラップシート４１，４２とは、ホットメルト型接着剤等の接着剤によって接合されている。接着剤の塗布パターンは特に限定されず、例えば、縦方向Ｘに延びる線状（直線状、スパイラル状等）の接着剤塗布部が横方向Ｙに間欠的に配置された塗布パターンが挙げられる。また、図３に示すように、吸収性コア４０は股下部１Ｍにおいて内方に括れており、コアラップシート４１，４２がその括れ部から横方向Ｙに延出しているところ、そのコアラップシート４１，４２の延出部どうしが、股下部１Ｍにおいて接着剤によって接合されて、コアラップシート接合部４３が形成されている。
【００３０】
非積繊部５Ａ〜５Ｅにおける両シート４１，４２の接合部は、例えば次のようにして形成することができる。即ち、両シート４１，４２の少なくとも一方における非積繊部５Ａ〜５Ｅの対応位置に予めホットメルト型接着剤等の接着剤を塗布しておき、吸収性コア４０を両シート４１，４２で被覆して吸収体４を得た後、吸収体４の非積繊部５Ａ〜５Ｅを肌対向面側及び非肌対向面側から同時に押圧処理することにより、非積繊部５Ａ〜５Ｅにおいて両シート４１，４２を接合させることができる。この非積繊部５Ａ〜５Ｅの押圧処理は、熱を伴うか若しくは伴わないエンボス又は超音波エンボス等の公知のエンボス加工を採用できる。非積繊部５Ａ〜５Ｅの押圧処理として、例えば熱を伴うエンボス加工の如き加熱加圧処理を採用した場合、両シート４１，４２は互いに加熱圧着されるため、接着剤による接着力と相俟って両シート４１，４２どうしは強固に接合し得る。尚、非積繊部５Ａ〜５Ｅの押圧処理は、非積繊部５Ａ〜５Ｅの形成位置にて、肌側コアラップシート４１を非肌側コアラップシート４２側に押し込んで行っても良く、あるいは非肌側コアラップシート４２を肌側コアラップシート４１側に押し込んで行っても良い。前者の場合、非肌側コアラップシート４２は平坦であるが、肌側コアラップシート４１は非積繊部５Ａ〜５Ｅの形成位置において凹状に窪むこととなり、後者の場合、肌側コアラップシート４１は平坦であるが、非肌側コアラップシート４２は非積繊部５Ａ〜５Ｅの形成位置において凹状に窪むこととなる。
【００３１】
おむつ１の主たる特徴の１つとして、図４に示すように、吸収性コア４０における複数（９個）の非積繊部５Ａ〜５Ｅを、吸収性コア４０の縦方向端４０Ｆ又は４０Ｒに向かって縦方向Ｘに投影したときに形成される投影像の全部が、吸収性コア４０における股下最小幅部４０Ｓにおいて、相互に繋がっている点が挙げられる。つまり、吸収性コア４０における複数の非積繊部５Ａ〜５Ｅは、横方向Ｙにおける一方の最外方に位置する非積繊部（図３では、一対の非積繊部５Ｂ，５Ｂのうちの一方又は一対の非積繊部５Ｅ，５Ｅのうちの一方）から他方の最外方に位置する非積繊部（図３では、一対の非積繊部５Ｂ，５Ｂのうちの他方又は一対の非積繊部５Ｅ，５Ｅのうちの他方）までの全ての非積繊部５Ａ〜５Ｅの前記投影像が股下最小幅部４０Ｓにおいて横方向Ｙに連続的に繋がるように、配置形成されている。
【００３２】
前述したように、吸収性コア４０に形成された複数の非積繊部５Ａ〜５Ｅにてコアラップシート４１，４２どうしを接合することによって、おむつ１の着用中における吸収体４の壊れが防止され得るが、単に、斯かる構成を採用するだけでは、吸収体４の壊れを効果的に防止することはできない。特に、吸収性コア４０の股下部１Ｍに位置する部分は、尿等の排泄液を直接受ける前記排泄部対向部を有し、且つ着用者の脚の動作で負荷がかかりやすい部位であるため、おむつ１の着用中に着用者の脚の動きによって亀裂が入りやすく、その股下部１Ｍの亀裂によって分断された吸収性コア４０の一部が、自重によって着用者の股間部の下方にずり落ちる結果、吸収体４の壊れが発生する可能性があった。
【００３３】
これに対し、おむつ１においては前述したように、吸収性コア４０における複数の非積繊部５Ａ〜５Ｅは、それらの縦方向Ｘへの投影像が股下部１Ｍの股下最小幅部４０Ｓにおいて横方向Ｙに連続的に繋がるように、配置形成されているため（図４参照）、吸収性コア４０（吸収体４）は縦方向Ｘ及び横方向Ｙの両方向に拘束されて動き難く、且つ着用者の脚の動き等によって股下最小幅部４０Ｓ及びその近傍に亀裂が入って吸収性コア４０が分断された場合でも、非積繊部５Ａ〜５Ｅが吸収性コア４０のずり落ちに対する支えとして機能し得るため、吸収体４の壊れが効果的に防止される。
【００３４】
図３に示すように、複数の非積繊部５Ａ〜５Ｅのうちで横方向Ｙにおいて最外方に位置する非積繊部５Ｂ，５Ｅは、股下最小幅部４０Ｓには配置されておらず、且つ股下最小幅部４０Ｓの縦方向Ｘに沿う側縁の仮想延長線４０ＳＬと重なっている。斯かる構成により、吸収体４の壊れが特に発生しやすい部位である股下最小幅部４０Ｓの動き（特に横方向Ｙの動き）がより一層拘束されるため、吸収体４の壊れがより一層確実に防止される。尚、横方向Ｙの最外方に位置する非積繊部５Ｂ，５Ｅが、仮想延長線４０ＳＬと重ならずに、仮想延長線４０ＳＬよりも横方向Ｙの外方に配置されている場合でも、前記と同様の効果が奏される。
【００３５】
おむつ１においては、図４に示す構成（複数の非積繊部５Ａ〜５Ｅの縦方向Ｘへの投影像が股下最小幅部４０Ｓにおいて横方向Ｙに連続的に繋がっている）が採用されていることを前提として、さらに下記構成（１）及び（２）が採用されていることによって、吸収体４の特に横方向Ｙの動きに対する拘束力が高められ、吸収性コア４０の股下部１Ｍに位置する部分の壊れにくさがより一層向上されている。
（１）吸収性コア４０は股下部１Ｍに股下最小幅部４０Ｓを有し、且つ股下最小幅部４０Ｓを基準として縦方向Ｘの一方側及び他方側に配置された非積繊部５Ｂ，５Ｅが、仮想延長線４０ＳＬと重なるか、又は仮想延長線４０ＳＬよりも横方向Ｙの外方に位置するように配置されている（図３参照）。
（２）股下部１Ｍにおける吸収性コア４０の縦方向Ｘの外方位置にて、肌側コアラップシート４１と非肌側コアラップシート４２とが接合されてコアラップシート接合部４３が形成されている（図３参照）。
【００３６】
ところで一般に、複数の非積繊部５Ａ〜５Ｅの面積が大きいほど、あるいはそれらの単位面積当たりの数が多いほど、吸収性コア４０の動きに対する拘束力が向上するため、吸収体４の壊れにくさが向上するが、その反面、吸収性能が低下する傾向がある。斯かる点を考慮すると、吸収体の壊れにくさと吸収性能とのバランスの観点から、吸収性コア４０の肌対向面及び非肌対向面それぞれにおいて、複数の非積繊部５Ａ〜５Ｅの面積の総和が、吸収性コア４０の肌対向面又は非肌対向面の全面積の３０％以下、特に１０％以下、とりわけ４〜８％であることが好ましい。
【００３７】
また同様の観点から、複数の非積繊部５Ａ〜５Ｅのうちから任意のものを選択し、その選択された非積繊部を通って吸収性コア４０を横方向Ｙに横断する仮想直線を１本引いた場合、該仮想直線と重なる全ての非積繊部の、該仮想直線との重なり部分の長さの合計が、該仮想直線と該吸収性コアとの重なり部分の長さの５０％以下、特に３５％以下、とりわけ１５〜２５％であることが好ましい。図３には、前記仮想直線の例示として、一対の非積繊部５Ａ，５Ａを通って吸収性コア４０を横方向Ｙに横断する仮想直線６１が示されているところ、仮想直線６１と一対の非積繊部５Ａ，５Ａそれぞれとの重なり部分の長さの合計（ｔ１＋ｔ２）が、仮想直線６１と吸収性コア４０との重なり部分の長さ、即ち、仮想直線６１位置における吸収性コア４０の横方向Ｙの全長の５０％以下であることが好ましい。
【００３８】
また同様の観点から、複数の非積繊部５Ａ〜５Ｅのうちから任意のものを選択し、その選択された非積繊部を通って吸収性コア４０を縦方向Ｘに横断する仮想直線を１本引いた場合、該仮想直線と重なる全ての非積繊部の、該仮想直線との重なり部分の長さの合計が、該仮想直線と該吸収性コアとの重なり部分の長さの５０％以下、特に２０％以下、とりわけ５〜１０％であることが好ましい。
【００３９】
また同様の観点から、複数の非積繊部５Ａ〜５Ｅにおいて、任意の１個の非積繊部と、該任意の１個の平面視における最大内接円の中心に最も近接する最大内接円の中心を有する、他の１個の非積繊部とにおいて、その２個の非積繊部の最大内接円どうしの中心間距離は、その２個の最大内接円それぞれの半径の総和の２倍以上、特に２．５倍以上が好ましく、１０倍以下、特に８倍以下が好ましい。２個の非積繊部の最大内接円どうしの中心間距離が短すぎると、膨潤阻害が発生するおそれがあるため好ましくない。前述した通り、非積繊部の平面視における最大内接円の直径は、該非積繊部の開口径に等しい。
【００４０】
前記の「２個の非積繊部の最大内接円どうしの中心間距離」について、図７を参照して説明する。
図７（ａ）及び図７（ｂ）においては何れも、２個の平面視長方形形状の非積繊部５Ｇがそれらの長手方向を縦方向Ｘに一致させて並列に配置されているところ、この場合には、各非積繊部５Ｇの最大内接円５０の位置は一箇所に定まらず、縦方向Ｘにおいて任意の位置を選択し得るため、単に、２個の非積繊部５Ｇ，５Ｇの最大内接円５０，５０どうしの中心間距離とした場合には、例えば図７（ａ）の中心間距離Ｌ１もあり得るし、図７（ｂ）の中心間距離Ｌ２もあり得る。しかしながら、前記の「２個の非積繊部の最大内接円どうしの中心間距離」は、前記の定義から明らかなように、複数の中心間距離を採り得る中での「最短の中心間距離」であるから、この定義に合致するのは図７（ａ）の中心間距離Ｌ１のみであり、図７（ｂ）の中心間距離Ｌ２は、前記の「２個の非積繊部の最大内接円どうしの中心間距離」ではない。
また、図７（ｃ）及び図７（ｄ）においては何れも、２個の平面視長方形形状の非積繊部５Ｇがそれらの長手方向を横方向Ｙに一致させて直列に配置されているところ、この場合における前記の「２個の非積繊部の最大内接円どうしの中心間距離」は、「最短の中心間距離」である図７（ｃ）の中心間距離Ｌ３であり、図７（ｄ）の中心間距離Ｌ４は、前記の「２個の非積繊部の最大内接円どうしの中心間距離」ではない。
【００４１】
平面視円形形状の非積繊部５の５Ａ〜５Ｅの開口径即ち直径（最大内接円の直径）は、それぞれ、好ましくは１０ｍｍ以上、さらに好ましくは１５ｍｍ以上、そして、好ましくは４０ｍｍ以下、さらに好ましくは３０ｍｍ以下、より具体的には、好ましくは１０ｍｍ以上４０ｍｍ以下、さらに好ましくは１５ｍｍ以上３０ｍｍ以下である。尚、非積繊部の平面視形状が四角形形状などの非円形形状の場合、該非積繊部の開口径は、前記の平面視円形形状の非積繊部の開口径即ち直径と同じ範囲に設定することが好ましい。
【００４２】
おむつ１においては、図２に非積繊部５Ｃについて例示している通り、複数の非積繊部５Ａ〜５Ｅそれぞれにおいて、表面シート２と肌側コアラップシート４１とが接合している。非積繊部５Ａ〜５Ｅにおける両シート２，４１の接合は、接着剤によってなされている。非積繊部５Ａ〜５Ｅにおける両シート２，４１の接合部は、例えば次のようにして形成することができる。即ち、両シート２，４１の少なくとも一方における非積繊部５Ａ〜５Ｅの対応位置に予めホットメルト型接着剤等の接着剤を塗布しておき、吸収体４、より具体的にはシート４１の肌対向面を表面シート２で被覆した後、表面シート２における非積繊部５Ａ〜５Ｅの対応位置を表面シート２側から押圧処理することにより、非積繊部５Ａ〜５Ｅにおいて両シート２，４１を接合させることができる。非積繊部５Ａ〜５Ｅにおいて両シート２，４１が接合していることによって、肌と接する面に溝が形成されることになるので、排尿時には尿が素早く縦方向に拡がりやすくさらっと感が向上するという効果が奏される。
【００４３】
尚、おむつ１においては、図２に示すように、非積繊部５Ａ〜５Ｅにおいて、表面シート２と肌側コアラップシート４１とが接合しているのみならず、裏面シート３と非肌側コアラップシート４２とも接着剤によって接合されている。非積繊部５Ａ〜５Ｅにおける両シート３，４２の接合部は、前述したシート２，４１の接合部と同様の方法で形成することができる。
【００４４】
おむつ１においては、非積繊部５Ａ〜５Ｅそれぞれにおける肌側コアラップシート４１と非肌側コアラップシート４２との接合力Ｈ２は、非積繊部５Ａ〜５Ｅそれぞれにおける表面シート２と肌側コアラップシート４１との接合力Ｈ１よりも大きくなされている。非積繊部５Ａ〜５Ｅにおいて表面シート２と肌側コアラップシート４１とが接合していると、おむつ１の着用中において着用者の身体の動きに追従して吸収体４、特に非積繊部５Ａ〜５Ｅにせん断力が作用した場合に、非積繊部５Ａ〜５Ｅにおけるコアラップシート４１，４２どうしの接合が破壊されるおそれがある。これに対し、前記のように接合力Ｈ２＞接合力Ｈ１とすることによって、相対的に低い接合力Ｈ１で互いに接合されている表面シート２と肌側コアラップシート４１との接合部の方が、コアラップシート４１，４２どうしの接合部よりも先に破壊されるようになるため、前述した作用効果を奏する上で重要な、「非積繊部５Ａ〜５Ｅにおけるコアラップシート４１，４２どうしの接合」が一層維持されやすくなる。
【００４５】
接合力Ｈ１に対する接合力Ｈ２の比率（接合力Ｈ２／接合力Ｈ１）は、好ましくは１．１以上、さらに好ましくは１．５以上、そして、好ましくは５．０以下、さらに好ましくは３．０以下、より具体的には、好ましくは１．１以上５．０以下、さらに好ましくは１．５以上３．０以下である。
非積繊部５Ａ〜５Ｅそれぞれにおける表面シート２と肌側コアラップシート４１との接合力Ｈ１は、好ましくは０．２Ｎ以上、さらに好ましくは１．０Ｎ以上、そして、好ましくは４．５Ｎ以下、さらに好ましくは３．５Ｎ以下、より具体的には、好ましくは０．２Ｎ以上４．５Ｎ以下、さらに好ましくは１．０Ｎ以上３．５Ｎ以下である。
非積繊部５Ａ〜５Ｅそれぞれにおける肌側コアラップシート４１と非肌側コアラップシート４２との接合力Ｈ２は、好ましくは０．５Ｎ以上、さらに好ましくは１．５Ｎ以上、そして、好ましくは５．０Ｎ以下、さらに好ましくは４．０Ｎ以下、より具体的には、好ましくは０．５Ｎ以上５．０Ｎ以下、さらに好ましくは１．５Ｎ以上４．０Ｎ以下である。
【００４６】
接合力Ｈ１，Ｈ２は次のようにして測定することができる。それぞれの接合部を含むように縦方向には２０ｍｍ、横方向には接合部の横方向端部から外側に向けてテンシロン引張試験器〔（株）オリエンテック社製〕のチャックに十分に挟むことができる長さで切り取り、横方向からその接合面を剥離するように表面シート２と肌側コアラップシート４１又は肌側コアラップシート４１と非肌側コアラップシート４２をチャックに挟み、引張速度３００ｍｍ／ｍｉｎでチャック間距離を拡げ、剥離時の最大点強度をそれぞれの接合力とした。
【００４７】
本発明に係る吸収体は、図３に示す吸収体４に限定されず、本発明の趣旨を逸脱しない範囲のものを適宜使用でき、例えば、図５に示す吸収体４Ａが挙げられる。尚、図５に示す吸収体４Ａにおいて、吸収体４と同様の構成部分には同一の符号を付しており、特に説明しない構成部分には、吸収体４についての説明が適宜適用される。
【００４８】
吸収体４Ａにおいては、図５に示すように、腹側縦方向端４０Ｆから背側縦方向端４０Ｒに向かって、非積繊部５Ａ，５Ｂ，５Ｃ，５Ｄ，５Ｅ，５Ｆがこの順で縦方向Ｘに間欠的に形成されている。非積繊部５Ｂ，５Ｅは、それぞれ、吸収性コア４０を横方向Ｙに二分して縦方向Ｘに延びる縦中心線Ｌｘを基準として対称に形成されており、それぞれ一対存在する。非積繊部５Ａ，５Ｃ，５Ｄ，５Ｆは、それぞれ、縦中心線Ｌｘ上に１個のみ存在する。また、非積繊部の平面視における大きさ即ち非積繊部の開口径（最大内接円の直径）は、非積繊部５Ａ，５Ｆが互いに同一、また、非積繊部５Ｂ〜５Ｅが互いに同一であり、さらに、非積繊部５Ａ，５Ｆの方が非積繊部５Ｂ〜５Ｅよりも大きい。つまり、吸収体４Ａにおいては、相対的に開口径の大きい非積繊部５Ａ，５Ｆが縦方向Ｘの最外方に配置され、相対的に開口径の小さい非積繊部５Ｂ〜５Ｅが非積繊部５Ａ，５Ｆ間に配置されている。また、吸収体４Ａにおける非積繊部５Ａ〜５Ｆは、千鳥状に配置されている。
【００４９】
以上、本発明について説明したが、本発明は、前記実施形態に制限されず適宜変更可能である。本発明の吸収性物品は、前記実施形態の如き展開型の使い捨ておむつに制限されず、人体から排出される体液（尿、経血、軟便、汗等）の吸収に用いられる物品を広く包含し、パンツ型の使い捨ておむつ、生理用ナプキン、生理用ショーツ等も包含される。前述した本発明の実施形態に関し、更に以下の付記を開示する。
【００５０】
＜１＞
吸収体を具備し、着用者の腹側から股間部を介して背側に延びる縦方向とこれに直交する横方向とを有すると共に、着用時に該股間部に配される股下部と、該股下部よりも着用者の腹側に配される腹側部と、該股下部よりも着用者の背側に配される背側部とを縦方向に有する吸収性物品であって、
前記吸収体は、液保持性の吸収性コアと、該吸収性コアの肌対向面を被覆する肌側コアラップシートと、該吸収性コアの非肌対向面を被覆する非肌側コアラップシートとを含んで構成され、
前記吸収性コアに、該吸収性コアを厚み方向に貫通する複数の非積繊部が個々に独立して配置形成され、各該非積繊部において前記肌側コアラップシートと前記非肌側コアラップシートとが接合しており、
前記複数の非積繊部を前記吸収性コアの縦方向端に向かって縦方向に投影したときに形成される投影像の全部が、該吸収性コアにおける、前記股下部において横方向長さが最小の部分である股下最小幅部において、相互に繋がっている吸収性物品。
【００５１】
＜２＞
前記複数の非積繊部のうちから任意のものを選択し、その選択された非積繊部を通って前記吸収性コアを横方向に横断する仮想直線を１本引いた場合、該仮想直線と重なる全ての前記非積繊部の、該仮想直線との重なり部分の長さの合計が、該仮想直線と該吸収性コアとの重なり部分の長さの５０％以下である前記＜１＞に記載の吸収性物品。
＜３＞
前記複数の非積繊部のうちで横方向において最外方に位置する非積繊部は、前記股下最小幅部には配置されておらず、且つ該股下最小幅部の縦方向に沿う側縁の仮想延長線と重なるか、又は該仮想延長線よりも横方向外方に配置されている前記＜１＞又は＜２＞に記載の吸収性物品。
＜４＞
前記吸収体の肌対向面側に配された表面シートを具備し、前記複数の非積繊部それぞれにおいて、該表面シートと前記肌側コアラップシートとが接合している前記＜１＞〜＜３＞の何れか一項に記載の吸収性物品。
＜５＞
さらに、前記吸収体の非肌対向面側に配された裏面シートを具備し、前記複数の非積繊部それぞれにおいて、前記表面シートと前記肌側コアラップシートとが接合していると共に、前記裏面シートと前記非肌側コアラップシートとが接合している前記＜４＞に記載の吸収性物品。
【００５２】
＜６＞
さらに、前記吸収体の肌対向面側に配された表面シートを具備し、前記非積繊部において該表面シートと前記肌側コアラップシートとが接合しており、
前記非積繊部における前記肌側コアラップシートと前記非肌側コアラップシートとの接合力Ｈ２は、該非積繊部における前記表面シートと該肌側コアラップシートとの接合力Ｈ１よりも大きい前記＜１＞〜＜３＞の何れか一項に記載の吸収性物品。
＜７＞
前記接合力Ｈ１に対する前記接合力Ｈ２の比率は、接合力Ｈ２／接合力Ｈ１として、好ましくは１．１以上、さらに好ましくは１．５以上、そして、好ましくは５．０以下、さらに好ましくは３．０以下ある前記＜６＞に記載の吸収性物品。
＜８＞
前記接合力Ｈ１は、好ましくは０．２Ｎ以上、さらに好ましくは１．０Ｎ以上、そして、好ましくは４．５Ｎ以下、さらに好ましくは３．５Ｎ以下である前記＜６＞又は＜７＞に記載の吸収性物品。
＜９＞
前記接合力Ｈ２は、好ましくは０．５Ｎ以上、さらに好ましくは１．５Ｎ以上、そして、好ましくは５．０Ｎ以下、さらに好ましくは４．０Ｎ以下である前記＜６＞〜＜８＞の何れか一項に記載の吸収性物品。
【００５３】
＜１０＞
前記複数の非積繊部は千鳥状に配置されている前記＜１＞〜＜９＞の何れか一項に記載の吸収性物品。
＜１１＞
前記複数の非積繊部の千鳥状の配置は、前記複数の非積繊部それぞれの中心を通って縦方向に延びる仮想直線が横方向に所定間隔を置いて複数本配置され、且つ隣接する２本の該仮想直線どうしで該非積繊部の位置がずれている配置である前記＜１０＞に記載の吸収性物品。
＜１２＞
前記複数の非積繊部の千鳥状の配置は、前記複数の非積繊部それぞれの中心を通って縦方向に延びる仮想直線が横方向に所定間隔を置いて複数本配置され、且つ隣接する２本の該仮想直線どうしで縦方向における該非積繊部の位置が一致していない配置である前記＜１０＞に記載の吸収性物品。
【００５４】
＜１３＞
前記前記吸収性コアと前記肌側コアラップシート及び前記非肌側コアラップシートとは、それぞれ接着剤によって接合されている前記＜１＞〜＜１２＞の何れか一項に記載の吸収性物品。
＜１４＞
前記吸収性コアは前記股下部において内方に括れており、前記肌側コアラップシート及び前記非肌側コアラップシートがその括れ部から横方向に延出しており、その両コアラップシートの延出部どうしが、該股下部において接着剤によって接合されてコアラップシート接合部が形成されている前記＜１＞〜＜１３＞の何れか一項に記載の吸収性物品。
＜１５＞
前記非肌側コアラップシートは平坦であるが、前記肌側コアラップシートは前記非積繊部の形成位置において凹状に窪んでいる前記＜１＞〜＜１４＞の何れか一項に記載の吸収性物品。
【００５５】
＜１６＞
前記吸収性コアの肌対向面及び非肌対向面それぞれにおいて、前記複数の非積繊部の面積の総和が、該吸収性コアの肌対向面又は非肌対向面の全面積の３０％以下、好ましくは１０％以下、さらに好ましくは４〜８％である前記＜１＞〜＜１５＞の何れか一項に記載の吸収性物品。
＜１７＞
前記複数の非積繊部のうちから任意のものを選択し、その選択された非積繊部を通って前記吸収性コアを横方向に横断する仮想直線を１本引いた場合、該仮想直線と重なる全ての非積繊部の、該仮想直線との重なり部分の長さの合計が、該仮想直線と該吸収性コアとの重なり部分の長さの５０％以下、好ましくは３５％以下、さらに好ましくは１５〜２５％である前記＜１＞〜＜１６＞の何れか一項に記載の吸収性物品。
＜１８＞
一対の前記非積繊部を通って前記吸収性コアを横方向に横断する前記仮想直線があり、該仮想直線と該一対の非積繊部それぞれとの重なり部分の長さの合計が、該仮想直線と該吸収性コアとの重なり部分の長さ、即ち、該仮想直線位置における該吸収性コアの横方向の全長の５０％以下である前記＜１７＞に記載の吸収性物品。
＜１９＞
前記複数の非積繊部のうちから任意のものを選択し、その選択された非積繊部を通って前記吸収性コアを縦方向に横断する仮想直線を１本引いた場合、該仮想直線と重なる全ての非積繊部の、該仮想直線との重なり部分の長さの合計が、該仮想直線と該吸収性コアとの重なり部分の長さの５０％以下、好ましくは２０％以下、さらに好ましくは５〜１０％である前記＜１＞〜＜１８＞の何れか一項に記載の吸収性物品。
＜２０＞
前記複数の非積繊部から選択される任意の１個の非積繊部と、該任意の１個の非積繊部の平面視における最大内接円の中心に最も近接する最大内接円の中心を有する、他の１個の非積繊部とにおいて、その２個の非積繊部の最大内接円どうしの中心間距離は、その２個の最大内接円それぞれの半径の総和の好ましくは２倍以上、さらに好ましくは２．５倍以上、そして、好ましくは１０倍以下、さらに好ましくは８倍以下である前記＜１＞〜＜１９＞の何れか一項に記載の吸収性物品。
＜２１＞
前記複数の非積繊部はそれぞれ平面視円形形状をなし、各該非積繊部の直径は、好ましくは１０ｍｍ以上、さらに好ましくは１５ｍｍ以上、そして、好ましくは４０ｍｍ以下、さらに好ましくは３０ｍｍ以下である前記＜１＞〜＜２０＞の何れか一項に記載の吸収性物品。
【００５６】
＜２２＞
前記股下部を含む縦方向中央部における、縦方向に沿う両側縁が内向きの円弧状に湾曲しており、平面視において縦方向中央部が内方に括れた砂時計状をなしている前記＜１＞〜＜２１＞の何れか一項に記載の吸収性物品。
＜２３＞
前記吸収性コアの前記非積繊部以外の部分の無荷重下における厚みは、好ましくは２ｍｍ以上、さらに好ましくは３ｍｍ以上、そして、好ましくは１５ｍｍ以下、さらに好ましくは１０ｍｍ以下である前記＜１＞〜＜２２＞の何れか一項に記載の吸収性物品。
＜２４＞
前記吸収性コアの坪量は、好ましくは１００ｇ／ｍ2以上、さらに好ましくは３００ｇ／ｍ2以上、そして、好ましくは１０００ｇ／ｍ2以下、さらに好ましくは６００ｇ／ｍ2以下である前記＜１＞〜＜２３＞の何れか一項に記載の吸収性物品。
＜２５＞
前記肌側コアラップシートと前記非肌側コアラップシートとは、１枚の連続したシートである前記＜１＞〜＜２４＞の何れか一項に記載の吸収性物品。
【実施例】
【００５７】
以下、本発明を実施例により更に具体的に説明するが、本発明は斯かる実施例に限定されるものではない。
【００５８】
〔実施例１〕
図１〜図４に示すおむつ１と同様の基本構成を有する展開型の使い捨ておむつを常法に従って作製した。表面シートとしては、坪量３０ｇ／ｍ2のエアスルー不織布を用いた。裏面シートとしては、坪量１８ｇ／ｍ2の液不透過性且つ透湿性のポリエチレン製樹脂フィルム（炭酸カルシウム配合）を用いた。コアラップシートとしては、坪量１０ｇ／ｍ2の１枚のＳＭＳ（スパンボンド・メルトブロー・スパンボンド）不織布を用い、これで吸収性コアの肌対向面及び非肌対向面を被覆して、肌側コアラップシート及び非肌側コアラップシートとした。
吸収性コアとしては、図３に示す吸収性コア４０と同じものを常法に従って製造し、非積繊部は、前述したようにコア形成材料の堆積を意図的に阻害して形成した。実施例１で用いた吸収性コアは、繊維集合体に粒子状の吸水性ポリマー（ＳＡＰ）を保持させた単層構造のもので、フラッフパルプ２００ｇ／ｍ2と吸水性ポリマー２８５ｇ／ｍ2との均一混合物からなる総坪量４８５ｇ／ｍ2の吸収性コアである。実施例１で用いた吸収性コアの寸法は、縦方向長さが３７０ｍｍ、最小幅が７５ｍｍ、厚みが３．９ｍｍであった。また、用いた吸収性コアの非積繊部は、縦方向長さが１０５ｍｍ、幅が１４ｍｍであった。
吸収性コアをコアラップシートで被覆して吸収体とした後、該吸収体における非積繊部を肌対向面及び非肌対向面の両面から加熱加圧することにより、非積繊部にて肌側コアラップシートと非肌側コアラップシートとを接合した。この非積繊部における両コアラップシートの接合部は、予め塗布した接着剤と両コアラップシートの熱融着とによって形成されている。
【００５９】
〔比較例１〕
吸収性コアに非積繊部を形成しなかった以外は実施例１と同様にして展開型の使い捨ておむつを作製した。
【００６０】
〔比較例２〕
実施例１において、吸収体として、図３に示す吸収体４に代えて、図６に示す吸収体４Ｚを用いた以外は、実施例１と同様にして展開型の使い捨ておむつを作製した。吸収体４Ｚは、平面視において長方形形状をなし、その長手方向を縦方向Ｘに一致させて吸収性コア４０の横方向Ｙの中央に２本形成されており、少なくとも股下部１Ｍの股下最小幅部４０Ｓ（前記排泄部対向部）を通って縦方向Ｘに延びている。２本の非積繊部５Ｚ，５Ｚは、縦中心線Ｌｘを基準として対称に形成されている。
【００６１】
〔評価〕
実施例及び比較例の使い捨ておむつについて、下記方法により吸収体破壊動作回数を評価した。
【００６２】
＜吸収体破壊動作回数の測定方法＞
評価対象のおむつを、肌対向面、即ち表面シートを内側にして縦方向に２つ折りし、人工尿の注入予定部である吸収体の中心部の両脇を手指で把持して上下方向に交互に動かす。この上下動作を５０回繰り返した後、おむつの各部を伸長させて図１に示す如く平面状に拡げ、表面シートを上に向けて水平面上に固定した状態で、吸収体の中心部における該表面シート上に人工尿４０ｇを注入して吸収させ、その後、自然状態で３分間放置した。次いで、おむつに対し、人工尿の注入前に行った前記上下動作を再び行う。この上下動作は、おむつ着用中の着用者の脚の動きを想定したものである。この上下動作を吸収体が壊れるまで繰り返し、吸収体が壊れるのに要した上下動作の回数を、吸収体破壊動作回数とする。吸収体の一部でも崩れた場合は、「吸収体が壊れた」と判断する。吸収体破壊動作回数が多いほど、吸収体の保形性に優れ、着用中に吸収体が壊れにくいと判断でき高評価となる。
【００６３】
前記測定方法で用いた人工尿の組成は次の通り。尿素１．９４質量％、塩化ナトリウム０．７９５４質量％、硫酸マグネシウム（七水和物）０．１１０５８質量％、塩化カルシウム（二水和物）０．０６２０８質量％、硫酸カリウム０．１９７８８質量％、ポリオキシエチレンラウリルエーテル０．００３５質量％及びイオン交換水（残量）。
【００６４】
比較例１の使い捨ておむつは、吸収性コアに非積繊部が形成されていないものであり、吸収体破壊動作回数は２６回であった。
比較例２の使い捨ておむつは、図６に示すように、吸収性コア４０に非積繊部５Ｚが複数（２個）形成されているものの、それら複数の非積繊部５Ｚは、それらの縦方向Ｘへの投影像が股下部１Ｍの股下最小幅部４０Ｓにおいて横方向Ｙに不連続であり、吸収体破壊動作回数は３６回であった。
これに対し、図４に示す構成が採用された、即ち、複数の非積繊部５Ａ〜５Ｅの縦方向Ｘへの投影像が股下最小幅部４０Ｓにおいて横方向Ｙに連続的に繋がっている、実施例１の使い捨ておむつは、吸収体破壊動作回数が５８回であり、比較例１及び２に比して多かった。
以上のことから、吸収体の保形性に優れ、着用中に吸収体が壊れにくい吸収性物品を得るためには、吸収性コアにおける非積繊部の配置について、図４に示す構成を採用することが有効であることがわかる。
【符号の説明】
【００６５】
１  使い捨ておむつ（吸収性物品）
１Ｆ  吸収性物品の腹側部
１Ｍ  吸収性物品の股下部
１Ｒ  吸収性物品の背側部
２  表面シート
３  裏面シート
４，４Ａ，４Ｚ  吸収体
４０  吸収性コア
４０Ｓ  股下最小幅部
４１  肌側コアラップシート
４２  非肌側コアラップシート
４３  コアラップシート接合部
５Ａ，５Ｂ，５Ｃ，５Ｄ，５Ｅ，５Ｆ，５Ｇ，５Ｚ  非積繊部
Ｘ  縦方向
Ｙ  横方向
【図１】
0006714444.tif 000002
【図２】
0006714444.tif 000003
【図３】
0006714444.tif 000004
【図４】
0006714444.tif 000005
【図５】
0006714444.tif 000006
【図６】
0006714444.tif 000007
【図７】
0006714444.tif 000008